(57)【要約】      （修正有）【課題】屈曲可能であり、発光装置の範囲内の複数の微細構造体が輝度均一性を有する発光装置を提供する。【解決手段】発光装置１０は、プリント回路基板１１と、プリント回路基板上に形成される反射層１３と、反射層上に形成される光ガイド層１４と、光が１つまたは複数の側面から光ガイド層に入ることを可能にするために光ガイド層の１つまたは複数の側面上に設けられる１つまたは複数の光源１２とを含んでもよく、光ガイド層は１つまたは複数の曲線で曲げられてもよく、光ガイド層の１つの表面は、最も良好な照明効果を実現し、輝度均一性を向上させるように、複数の微細構造体によって形成されてもよい。【選択図】図１
2018110206.tif 000002
【特許請求の範囲】
【請求項１】
プリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、を備え、
前記光ガイド層は１つまたは複数の曲線で曲げることができ、
前記光ガイド層の１つの表面は、最も良好な照明効果を実現し、輝度均一性を向上させる複数の微細構造体によって形成されることを特徴とする、
発光装置。
【請求項２】
前記複数の微細構造体のそれぞれは凸形状または凹形状を有することを特徴とする、請求項１に記載の装置。
【請求項３】
前記複数の微細構造体は２つ以上の三次元形状を有することを特徴とする、請求項１に記載の装置。
【請求項４】
前記光ガイド層上に形成される拡散層をさらに備える、請求項１に記載の装置。
【請求項５】
前記光ガイド層と前記拡散層との間に設けられる光カバー要素をさらに備える、請求項４に記載の装置。
【請求項６】
前記１つまたは複数の光源は発光ダイオード（ＬＥＤ）であることを特徴とする、請求項１に記載の装置。
【請求項７】
前記光ガイド層と前記拡散層との間に形成される空気層をさらに備える、請求項４に記載の装置。
【請求項８】
前記プリント回路基板と、前記反射層と、前記光ガイド層と、前記１つまたは複数の光源とを支えるためのキャリアをさらに備える、請求項１に記載の装置。
【請求項９】
光が入る前記光ガイド層の前記側面は凹形状を有することを特徴とする、請求項１に記載の装置。
【請求項１０】
前記装置は自動車車体に取り付けられることを特徴とする、請求項１に記載の装置。
【請求項１１】
前記装置は方向指示灯を発する物体に取り付けられることを特徴とする、請求項１に記載の装置。
【請求項１２】
前記拡散層上に形成される光強化層をさらに備える、請求項４に記載の装置。
【請求項１３】
前記拡散層上に形成される偏向層をさらに備える、請求項４に記載の装置。
【請求項１４】
プリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、
前記光ガイド層より上または下に形成される屈曲可能な微細構造体層と、を備え、
前記屈曲可能な微細構造体層はその表面上に複数の微細構造体を有し、前記微細構造体のそれぞれは前記屈曲可能な微細構造体層の全体形状に基づいて前記表面上で隣り合って組み立てられる第１の形状または第２の形状を有し、
前記第１の形状は少なくとも１つの曲面を有し、前記第２の形状は光強化および偏向効果を実現する少なくとも１つの平坦面を有することを特徴とする、
発光装置。
【請求項１５】
前記屈曲可能な微細構造体層は前記光ガイド層の頂面または底面に固定されることを特徴とする、請求項１４に記載の装置。
【請求項１６】
前記複数の微細構造体のそれぞれは凸形状または凹形状を有することを特徴とする、請求項１４に記載の装置。
【請求項１７】
前記複数の微細構造体は２つ以上の三次元形状を有することを特徴とする、請求項１４に記載の装置。
【請求項１８】
前記光ガイド層上に形成される拡散層をさらに備える、請求項１４に記載の装置。
【請求項１９】
前記光ガイド層と前記拡散層との間に設けられる光カバー要素をさらに備える、請求項１８に記載の装置。
【請求項２０】
前記１つまたは複数の光源は発光ダイオード（ＬＥＤ）であることを特徴とする、請求項１４に記載の装置。
【請求項２１】
前記光ガイド層と前記拡散層との間に形成される空気層をさらに備える、請求項１８に記載の装置。
【請求項２２】
前記プリント回路基板と、前記反射層と、前記１つまたは複数の光源と、前記屈曲可能な微細構造体層と、前記光ガイド層と支えるためのキャリアをさらに備える、請求項１４に記載の装置。
【請求項２３】
光が入る前記光ガイド層の前記側面は凹形状を有することを特徴とする、請求項１４に記載の装置。
【請求項２４】
前記装置は自動車車体に取り付けられることを特徴とする、請求項１４に記載の装置。
【請求項２５】
前記装置は方向指示灯を発する物体に取り付けられることを特徴とする、請求項１４に記載の装置。
【請求項２６】
前記拡散層上に形成される光強化層をさらに備える、請求項１８に記載の装置。
【請求項２７】
前記拡散層上に形成される偏向層をさらに備える、請求項１８に記載の装置。
【請求項２８】
車体に電気的に結合されるプリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、
前記車体を接続し、前記プリント回路基板と、前記反射層と、前記１つまたは複数の光源と、前記光ガイド層とを覆う保護筐体と、を備え、
前記光ガイド層は１つまたは複数の曲線で曲げることができ、
前記光ガイド層の１つの表面は、最も良好な照明効果を実現するために前記保護筐体の形状に基づいて配置される複数の微細構造体によって形成されることを特徴とする、
車両用発光装置。
【請求項２９】
前記複数の微細構造体のそれぞれは凸形状または凹形状を有することを特徴とする、請求項２８に記載の装置。
【請求項３０】
前記複数の微細構造体は２つ以上の三次元形状を有することを特徴とする、請求項２８に記載の装置。
【請求項３１】
前記光ガイド層上に形成され、前記保護筐体内に覆われる拡散層をさらに備える、請求項２８に記載の装置。
【請求項３２】
前記光ガイド層と前記拡散層との間に設けられ、前記保護筐体内に覆われる光カバー要素をさらに備える、請求項３１に記載の装置。
【請求項３３】
前記１つまたは複数の光源は発光ダイオード（ＬＥＤ）であることを特徴とする、請求項２８に記載の装置。
【請求項３４】
前記光ガイド層と前記拡散層との間に形成される空気層をさらに備える、請求項３１に記載の装置。
【請求項３５】
前記プリント回路基板と、前記反射層と、前記光ガイド層と、前記１つまたは複数の光源とを支えるためのキャリアをさらに備える、請求項２８に記載の装置。
【請求項３６】
光が入る光ガイド層の前記側面は凹形状を有することを特徴とする、請求項２８に記載の装置。
【請求項３７】
前記拡散層上に形成される光強化層をさらに備える、請求項３１に記載の装置。
【請求項３８】
前記拡散層上に形成される偏向層をさらに備える、請求項３１に記載の装置。
【発明の詳細な説明】
【技術分野】
【０００１】
本発明は発光装置に関するものであり、より詳細には、光源としてＬＥＤを利用する発光装置に関するものである。本発明の発光装置は屈曲可能であり、発光装置の範囲内の複数の微細構造体は、輝度均一性を実現するように配置される。
【背景技術】
【０００２】
発光ダイオード（ＬＥＤ）の技術が成熟してきたため、その用途も広がってきている。現在では、多くの自動車製造会社が自社製品の光源としてＬＥＤを使用している。しかしながら、ＬＥＤはスポット光を発する。スポット光の特性により、発光時の輝度均一性の実現は難しくなる。結果的に、対向車線の運転手は、まぶしさにより不快に感じることがある。
【０００３】
また、従来のバックライトモジュールは、長方形かつ平坦な光源上で主に利用される。したがって、車両への従来のバックライトモジュールの適用には設計に関する多くの制約が存在するが、それは新しい車両用光源がさまざまな現代的かつコンパクトな形状で設計されているためである。さらに、ＬＥＤ用の従来のバックライトモジュールは屈曲可能ではない。したがって、車両用灯の全体的なサイズは必然的に大きくなる。
【発明の概要】
【発明が解決しようとする課題】
【０００４】
そのため、ＬＥＤを光源として使用するときの輝度均一性を高めることが可能な発光装置が必要である。また、改良された視覚的快適性を有し、政府規制に従って光を向けることができる発光装置が必要である。
【課題を解決するための手段】
【０００５】
現在の技術の欠点を考慮すると、本発明の１つの態様は屈曲可能な発光装置を提供することである。本発明の１つの実施形態によると、発光装置は、プリント回路基板と、プリント回路基板上に形成される反射層と、反射層上に形成される光ガイド層と、光が１つまたは複数の側面から光ガイド層に入ることを可能にするために光ガイド層の１つまたは複数の側面上に形成される１つまたは複数の光源とを含んでもよく、光ガイド層は１つまたは複数の曲線で曲げることができ、光ガイド層の１つの表面は、最も良好な照明効果を実現し、輝度均一性を向上させるように配置される複数の微細構造体によって形成される。
【０００６】
本発明の別の態様は、屈曲可能な微細構造体層を有する発光装置を提供することである。本発明の１つの実施形態において、装置は、プリント回路基板と、プリント回路基板上に形成される反射層と、反射層上に形成される光ガイド層と、光が１つまたは複数の側面から光ガイド層に入ることを可能にするために光ガイド層の１つまたは複数の側面上に設けられる１つまたは複数の光源と、光ガイド層より上または下に形成される屈曲可能な微細構造体層とを含んでもよく、屈曲可能な微細構造体層はその表面上に複数の微細構造体を有し、微細構造体のそれぞれは屈曲可能な微細構造体層の全体形状に基づいて表面上に組み立てられる第１の形状または第２の形状を有し、第１の形状は少なくとも１つの曲面を有し、第２の形状は光強化および光偏向効果を実現する少なくとも１つの平坦面を有する。
【０００７】
本発明のさらに別の態様は、車両用発光装置を提供することである。本発明の車両用発光装置は、車体に電気的に結合されるプリント回路基板と、プリント回路基板上に形成される反射層と、反射層上に形成される光ガイド層と、光が１つまたは複数の側面から光ガイド層に入ることを可能にするために光ガイド層の１つまたは複数の側面上に設けられる１つまたは複数の光源と、車体を接続し、プリント回路基板と、反射層と、１つまたは複数の光源と、光ガイド層とを覆う保護筐体とを含んでもよく、光ガイド層は１つまたは複数の曲線で曲げることができ、光ガイド層の１つの表面は、最も良好な照明効果を実現するために保護筐体の形状に基づいて配置される複数の微細構造体によって形成される。
【図面の簡単な説明】
【０００８】
【図１】本発明の１つの実施形態による発光装置の概略図を示す。
【図２】本発明の１つの実施形態による発光装置の側面の概略図を示す。
【図３ａ】本発明の１つの実施形態による、光分布のシミュレーション図と、順方向微細構造体の試験点の結果の一覧とを示す。
【図３ｂ】本発明の１つの実施形態による、光分布のシミュレーション図と、偏向微細構造体の試験点の結果の一覧とを示す。
【発明を実施するための形態】
【０００９】
ここで、本発明の実施形態を詳細に参照する。実施形態の例が添付図面に示され、同じ参照番号は明細書を通して同じ要素を指す。
【００１０】
本発明は発光装置を開示する。本発明の１つの実施形態において、発光装置は屈曲可能な光ガイド層を有してもよい。屈曲可能な光ガイド層の１つの表面には、複数の微細構造体が設けられてもよい。微細構造体は、光ガイド層の曲線（単数または複数）に基づいて、互いに隣りあう同じ形状または異なる形状で配置され、最も良好な照明効果を実現する。
【００１１】
図１を参照する。図１は、本発明の１つの実施形態による発光装置１０の概略図を示す。本発明の発光装置１０は、尾灯、制動灯、方向指示灯、後退灯、日中走行灯、駐車灯、番号灯、室内灯、または任意の車両用灯でもよい。あるいは、本発明の発光装置１０は、交通信号灯などの方向指示灯を発する任意の装置上に取り付けられてもよい。
しかしながら、当業者は、本発明の発光装置１０が上記の光に限定されないことを理解するであろう。最も良好な照明効果を実現するために光ガイド層の曲げ曲線に基づいて配置される同じ形状または異なる形状を有する複数の微細構造体を有する屈曲可能な光ガイド層および／または光ガイド層を有する任意の発光装置は、すべて本発明の範囲内である。
【００１２】
図１に示されるように、本発明の発光装置１０はプリント回路基板１１を含んでもよい。本発明の１つの実施形態において、プリント回路基板１１は外部電子装置（図示せず）に電気的に結合されてもよい。発光装置１０が車両用点灯装置である実施形態において、プリント回路基板１１は車体３０内の電子装置に電気的に結合されてもよい。よって、運転手は、車体３０内の電子装置を通して本発明の発光装置１０を制御することができる。
【００１３】
本発明の１つの実施形態において、プリント回路基板１１は１つまたは複数の光源１２に取り付けられてもよい。１つの好ましい実施形態において、本発明の光源１２は発光ダイオード（ＬＥＤ）でもよい。このような実施形態において、ＬＥＤが側面から光を発することは好適である。しかしながら、当業者は、任意の他の種類の光源も本発明の範囲内であることが分かるであろう。
【００１４】
本発明の発光装置１０はまた、反射層１３を含んでもよい。本発明の１つの実施形態において、反射層１３は、光を反射するように、プリント回路基板１１の頂部に形成されてもよい。１つの例において、本発明の反射層１３は高反射材で形成されてもよい。たとえば、高反射コーティング層がプリント回路基板１１上にコーティングされてもよい。別の例において、高反射ストリップがプリント回路基板１１の頂部に積み重ねられて、反射を提供してもよい。しかしながら、当業者は、光源１２からの光を強く反射することが可能な任意の材料が本発明の範囲内であることが分かるであろう。
【００１５】
図１に示されるように、本発明の発光装置１０は、層内の１つまたは複数の光源１２から来る光を案内する光ガイド層１４をさらに含んでもよい。本発明の１つの実施形態において、光ガイド層１４は反射層１３上に形成されてもよく、１つまたは複数の光源１２は光ガイド層１４の２つの側面上に位置づけられる。換言すれば、１つまたは複数の光源１２から来る光は側面から光ガイド層１４に入る。
【００１６】
本発明の１つの実施形態による光ガイド層１４の概略図である図２を参照する。本実施形態において、光ガイド層１４の側面は凹形状を有するそれぞれの入光面を有してもよい。よって、入光面１４２によって生じる全反射が減少してもよい。他方で、光源１２の発光角度は増加してもよく、それによって、光源１２間のダークスポットが減少する。
【００１７】
再び図１を参照する。本発明の１つの実施形態において、光ガイド層１４の表面は複数の微細構造体１４１を含んでもよい。１つの実施形態において、複数の微細構造体１４１は光ガイド層１４の底面上に形成されてもよい。換言すれば、複数の微細構造体１４１は光ガイド層１４と反射層１３との間に形成されてもよい。しかしながら、別の実施形態において、微細構造体層１４１は、光ガイド層１４の頂面上、すなわち、光ガイド層１４と空気層１７との間に形成されてもよい。
【００１８】
本発明の微細構造体層１４１は、全反射からの光を遮断するために使用されてもよい。また、層１４１は、拡散を生成し、光経路を変更して光を出光面の軸の方へ集めるために使用されてもよく、それによって、光の均一性および強度が向上する。
本発明の１つの実施形態において、光ガイド層１４上の微細構造体１４１は、球形状、楕円球状、円錐形状、円柱形状、または平頂円錐形状などを含むがこれらに限定されない同じ三次元形状または異なる三次元形状を有してもよい。本発明の別の実施形態において、微細構造体１４１は凸形状および／または凹形状構造を含んでもよい。本発明によると、異なる形状の微細構造体１４１は異なる機能を有してもよい。たとえば、球形微細構造体１４１が順方向光の効率および均一性を向上させるために使用されてもよい。それゆえに、球形微細構造体は順方向微細構造体と呼ぶこともできる。別の例において、円錐形微細構造体１４１が各表面の角度に基づいて光経路を変えるために使用されてもよく、したがって、偏向微細構造体と呼ぶこともできる。
【００１９】
ここで、それぞれ本発明の１つの実施形態における、光分布のシミュレーション図と、順方向微細構造体および偏向微細構造体の試験点の結果の一覧とを示す図３ａおよび３ｂを参照する。
図３ａに示されるように、本発明の順方向微細構造体は、光の最大強度が左１２．５°および上１６°にあることを可能にする。Ｈ−Ｖ点（０°，０°）で、光の強度は５７．８６ｃｄである。偏向微細構造体で満たされる環境において、光の最大強度は、図３ｂに示されるように、６７．８７ｃｄの強度でＨ−Ｖ点（０°，０°）にあるように調整してもよい。よって、本発明の偏向微細構造体により、光を集めて、出射光の強度を増加させてもよい。
【００２０】
本発明の１つの実施形態において、光ガイド層１４は屈曲可能な材料から作られてもよい。たとえば、本発明の光ガイド層１４は、シリコンおよび／または任意の他の透明光学材料で作られてもよい。光ガイド層１４の曲線に基づいて、順方向または偏向微細構造体などの、光ガイド層１４の表面上の複数の微細構造体は、順方向光の効率および／または輝度均一性を高めるように、互いに隣りあう１つの形状または異なる形状で配置されてもよい。たとえば、より偏向した微細構造体１４１は、光経路を変えて、軸上の出射光の強度を増加させるように、より大きな曲線を生じる光ガイド層１４に配置されてもよい。他方で、より順方向の微細構造体１４１は、順方向光の効率および均一性を増加させるように、より小さい曲線を生じる光ガイド層１４に配置されてもよい。
【００２１】
本発明の別の実施形態において、複数の微細構造体１４１は、光ガイド層１４の頂部または底部上の独立層として形成されてもよい。このような実施形態において、複数の微細構造体１４１によって形成される微細構造体層は、屈曲可能な材料から作られてもよい。
微細構造体層上の微細構造体１４１は、順方向光の効率を増加させるように配置される微細構造体の１つの種類または異なる種類（順方向または偏向微細構造体など）でもよい。たとえば、より偏向した微細構造体１４１は、光経路を変えて、軸上の出射光の強度を増加させるように、より大きな曲線を生じる微細構造体層に配置されてもよい。他方で、より順方向の微細構造体１４１は、光ガイド層１４上の順方向光の効率および均一性を増加させるように、より小さい曲線を生じる微細構造体層に配置されてもよい。本発明の１つの実施形態において、微細構造体層は、光ガイド層１４の導光機能を支援するように、光ガイド層１４の頂面または底面上に形成されてもよい。
【００２２】
本発明の１つの実施形態において、発光装置１０はまた、図１に示されるように、光ガイド層１４上に拡散層１５を含んでもよい。本発明の拡散層１５は、拡散ストリップ、または拡散材料でコーティングされた任意のプラスチック製ストリップでもよい。しかしながら、当業者は、光を均一拡散することが可能な任意の材料は本発明の範囲内とすることができることを理解するであろう。本発明の１つの実施形態において、拡散層１５は、照明効果を調整するように、光強化層（図示せず）および／または偏向層（図示せず）を含んでもよい。
【００２３】
本発明の１つの実施形態において、発光装置１０は、光ガイド層１４と拡散層１５との間に形成される光カバー要素１６をさらに含んでもよい。本発明の光カバー要素１６は、出射光の均一性を高めるように、入光面１４２の頂部の輝点を覆うために使用されてもよい。本発明によると、光カバー要素１６のサイズおよび相対位置を、光ガイド層１４の曲線（単数または複数）に基づいて調整し、最も良好な照明効果を実現してもよい。
【００２４】
本発明の１つの実施形態において、発光装置１０はまた、図１に示されるように、光ガイド層１４上に形成される空気層１７を含んでもよい。本発明の空気層１７は、光が拡散層１５を通過したあとの輝度均一性を高めるために使用されてもよい。好ましい実施形態において、空気層１７は少なくとも０ｍｍより厚い。
【００２５】
本発明の１つの実施形態において、発光装置１０はキャリア１８を含んでもよい。１つの実施形態において、本発明のキャリア１８は、プリント回路基板１１、反射層１３、光ガイド層１４、および１つまたは複数の光源１２を支えてもよい。しかしながら、本発明のキャリア１８はまた、拡散層１５、光カバー要素１６、および空気層１７を支えてもよい。本発明のキャリア１８は高反射材から作られてもよい。あるいは、キャリア１８の内側は、光ガイド層１４の側面からの光の漏れを改善するように、反射層を含んでもよく、それによって、光の利用を改善する。
【００２６】
本発明の１つの実施形態において、発光装置１０は、上記のように、尾灯、制動灯、方向指示灯、後退灯、日中走行灯、駐車灯、番号灯、および室内灯などの車両用灯でもよい。図１に示されるように、本発明が車両用灯として利用されるとき、発光装置１０は、プリント回路基板１１、１つまたは複数の光源１２、反射層１３、および光ガイド層１４を覆うように、車体３０を接続する保護筐体２０をさらに含んでもよい。
本発明の保護筐体２０は、発光装置１０内の各要素を完全に覆うように、拡散層１５、光カバー要素１６、空気層１７、およびキャリア１８をさらに含んでもよい。本発明の発光装置１０が車両用灯として使用されるとき、同じ形状または異なる形状の複数の微細構造体１４１は、保護筐体２０の形状に基づいて配置されてもよい。複数の微細構造体１４１は、最も良好な照明効果を実現するように、１つまたは複数の曲線で成形されてもよい。結果として、本発明の車両用発光装置１０は、さまざまな現代的な設計を有してもよく、同時に、照明効果の輝度均一性を高めてもよい。
【００２７】
本発明は例示的な好ましい実施形態とともに説明されているが、多くの代替、修正、および変化が上記説明を考慮して当業者にとって明らかであることは理解されるべきである。そのため、本発明は、すべてのそのような代替、修正、および変化を含む。本明細書に示される、または添付の図面に示されるすべての事項は、例示的かつ非限定的な意味で解釈されるべきである。
【図１】
2018110206.tif 000003
【図２】
2018110206.tif 000004
【図３ａ】
2018110206.tif 000005
【図３ｂ】
2018110206.tif 000006
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
プリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、を備え、
前記光ガイド層の１つの表面には、複数の微細構造体を形成することを特徴とする、
発光装置。
【請求項２】
前記複数の微細構造体のそれぞれは凸形状または凹形状を有することを特徴とする、請求項１に記載の装置。
【請求項３】
前記複数の微細構造体は２つ以上の異なる三次元形状を有することを特徴とする、請求項１に記載の装置。
【請求項４】
前記光ガイド層上に形成される拡散層をさらに備える、請求項１に記載の装置。
【請求項５】
前記光ガイド層と前記拡散層との間に設けられる光カバー要素をさらに備える、請求項４に記載の装置。
【請求項６】
前記１つまたは複数の光源は発光ダイオード（ＬＥＤ）であることを特徴とする、請求項１に記載の装置。
【請求項７】
前記光ガイド層と前記拡散層との間に形成される空気層をさらに備える、請求項４に記載の装置。
【請求項８】
前記プリント回路基板と、前記反射層と、前記光ガイド層と、前記１つまたは複数の光源とを支えるためのキャリアをさらに備える、請求項１に記載の装置。
【請求項９】
光が入る前記光ガイド層の前記側面は凹形状を有することを特徴とする、請求項１に記載の装置。
【請求項１０】
前記装置は自動車車体に取り付けられることを特徴とする、請求項１に記載の装置。
【請求項１１】
前記装置は方向指示灯を発する物体に取り付けられることを特徴とする、請求項１に記載の装置。
【請求項１２】
プリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、
前記光ガイド層より上または下に形成される屈曲可能な微細構造体層と、を備え、
前記屈曲可能な微細構造体層は複数の微細構造体によって形成することを特徴とする、
発光装置。
【請求項１３】
前記屈曲可能な微細構造体層は前記光ガイド層の頂面または底面に固定されることを特徴とする、請求項１２に記載の装置。
【請求項１４】
前記複数の微細構造体のそれぞれは凸形状または凹形状を有することを特徴とする、請求項１２に記載の装置。
【請求項１５】
前記複数の微細構造体は２つ以上の異なる三次元形状を有することを特徴とする、請求項１２に記載の装置。
【請求項１６】
前記光ガイド層上に形成される拡散層をさらに備える、請求項１２に記載の装置。
【請求項１７】
前記光ガイド層と前記拡散層との間に設けられる光カバー要素をさらに備える、請求項１６に記載の装置。
【請求項１８】
前記１つまたは複数の光源は発光ダイオード（ＬＥＤ）であることを特徴とする、請求項１２に記載の装置。
【請求項１９】
前記光ガイド層と前記拡散層との間に形成される空気層をさらに備える、請求項１６に記載の装置。
【請求項２０】
前記プリント回路基板と、前記反射層と、前記１つまたは複数の光源と、前記屈曲可能な微細構造体層と、前記光ガイド層と支えるためのキャリアをさらに備える、請求項１２に記載の装置。
【請求項２１】
光が入る前記光ガイド層の前記側面は凹形状を有することを特徴とする、請求項１２に記載の装置。
【請求項２２】
前記装置は自動車車体に取り付けられることを特徴とする、請求項１２に記載の装置。
【請求項２３】
前記装置は方向指示灯を発する物体に取り付けられることを特徴とする、請求項１２に記載の装置。
【請求項２４】
車体に電気的に結合されるプリント回路基板と、
前記プリント回路基板上に形成される反射層と、
前記反射層上に形成される光ガイド層と、
光が前記１つまたは複数の側面から前記光ガイド層に入ることを可能にするために前記光ガイド層の１つまたは複数の側面上に設けられる１つまたは複数の光源と、
前記車体を接続し、前記プリント回路基板と、前記反射層と、前記１つまたは複数の光源と、前記光ガイド層とを覆う保護筐体と、を備え、
前記光ガイド層の１つの表面には、複数の微細構造体を形成することを特徴とする、
車両用発光装置。
【請求項２５】
前記複数の微細構造体のそれぞれは凸形状または凹形状を有することを特徴とする、請求項２４に記載の装置。
【請求項２６】
前記複数の微細構造体は２つ以上の異なる三次元形状を有することを特徴とする、請求項２４に記載の装置。
【請求項２７】
前記光ガイド層上に形成され、前記保護筐体内に覆われる拡散層をさらに備える、請求項２４に記載の装置。
【請求項２８】
前記光ガイド層と前記拡散層との間に設けられ、前記保護筐体内に覆われる光カバー要素をさらに備える、請求項２７に記載の装置。
【請求項２９】
前記１つまたは複数の光源は発光ダイオード（ＬＥＤ）であることを特徴とする、請求項２４に記載の装置。
【請求項３０】
前記光ガイド層と前記拡散層との間に形成される空気層をさらに備える、請求項２７に記載の装置。
【請求項３１】
前記プリント回路基板と、前記反射層と、前記光ガイド層と、前記１つまたは複数の光源とを支えるためのキャリアをさらに備える、請求項２４に記載の装置。
【請求項３２】
光が入る光ガイド層の前記側面は凹形状を有することを特徴とする、請求項２４に記載の装置。